(57)【特許請求の範囲】
【請求項１】
筐体と、
前記筐体に設けられた雄のネジと、
前記筐体に設けられ、前記ネジの一端側が螺合するネジ穴を設けた第１端子と、
前記筐体に設けられ、前記ネジを回転自在に保持する一端側が設けられた座金と、
前記筐体に設けられ、前記ネジを前記第１端子のネジ穴から引き離す付勢力を前記座金に与える付勢手段と、
前記筐体に設けられ、前記ネジが前記第１端子のネジ穴から前記付勢力によって引き離される途中で、前記座金の他端側の位置を規制する支点と、を備え、
前記付勢力は前記座金の前記雄のネジと前記他端との間に与えられ、
前記ネジが前記第１端子のネジ穴から引き離された状態で、前記ネジと前記第１端子との間に外部から第２端子が挿入され、工具によって前記ネジの一端側が前記第１端子のネジ穴に螺合されることによって、前記第１端子と前記第２端子とを電気的に接続する端子装置。
【請求項２】
前記ネジが前記第１端子のネジ穴から外れると同時に、前記座金の他端側の位置が前記支点によって規制される請求項１記載の端子装置。
【請求項３】
前記支点の前記座金に対する反対側に別の装置が搭載される請求項１記載の端子装置。
【請求項４】
前記ネジはプラスネジである請求項３記載の端子装置。
【請求項５】
前記付勢手段は、前記筐体の前記第１端子よりも前記ネジ側の領域に配置されている請求項１から４までのいずれかに記載の端子装置。
【請求項６】
前記雄のネジ、前記第１端子、前記座金、前記付勢手段及び前記支点で構成される第１の端子機構と対称的に設けられた第２の端子機構と、
前記第１の端子機構と前記第２の端子機構との間に配置され、前記第１の端子機構の第１端子と、前記第２の端子機構の第１端子とを外部からの力に応じて電気的に接続又は開放するスイッチ機構と、
をさらに備えた請求項１から５までの何れかに記載の端子装置。
【発明の詳細な説明】
【０００１】
【発明の属する技術分野】
本発明は、例えば押釦スイッチ装置や電源装置等のような、外部から端子が接続される端子装置に関する。
【０００２】
【従来の技術】
図１２は従来のコンタクトブロック（端子装置）Ｅ９を示す断面図である。図１３は、図１２の構造において、第２端子９０６を挿入する方向から眺めた一部側断面図である。図１３の符号は図１２の符号に対応している。
【０００３】
従来のコンタクトブロックＥ９の用い方について説明する。まず、ネジ９０１の先端と第１端子９０２との間の挿入口Ｗに外部から第２端子９０６を挿入し、ドライバ（図示せず）でネジ９０１を回転させ、ネジ９０１を第１端子９０２のネジ穴９０２ａに螺合させ、第２端子９０６は座金９０３と第１端子９０２との間に挟まれる。これによって、第１端子９０２と第２端子９０６とを電気的に接続する。また、この状態でドライバでネジ９０１を逆回転させ、ネジ９０１をネジ穴９０２ａから外す。図１３のコイルバネ９０４はネジ９０１をネジ穴９０２ａから引き離す付勢力を座金９０３に与えているので、ネジ９０１はネジ穴９０２ａから外れると、座金９０３とともに第１端子９０２から引き離される。これによって、第２端子９０６は第１端子９０２から開放される。
【０００４】
【発明が解決しようとする課題】
従来のコンタクトブロックＥ９は以上のような構成のため、第２端子９０６を容易に挿入するためには、挿入口Ｗを充分に広くしなければならない。このために、ネジ９０１を第１端子９０２から充分に引き離している。しかしながら、ネジ９０１を第１端子９０２から充分に引き離すので、コンタクトブロックＥ９が大型化し、小型化できないという問題点があった。
【０００５】
本発明は上記の問題点を解決するためになされたものであり、外部からの端子を容易に挿入するのに充分な広さの挿入口を確保しつつ、小型化が図れる端子装置を得ることを目的とする。
【０００６】
【課題を解決するための手段】
請求項１に記載の課題解決手段は、筐体と、前記筐体に設けられた雄のネジと、前記筐体に設けられ、前記ネジの一端側が螺合するネジ穴を設けた第１端子と、前記筐体に設けられ、前記ネジを回転自在に保持する一端側が設けられた座金と、前記筐体に設けられ、前記ネジを前記第１端子のネジ穴から引き離す付勢力を前記座金に与える付勢手段と、前記筐体に設けられ、前記ネジが前記第１端子のネジ穴から前記付勢力によって引き離される途中で、前記座金の他端側の位置を規制する支点と、を備え、前記付勢力は前記座金の前記雄のネジと前記他端との間に与えられ、前記ネジが前記第１端子のネジ穴から引き離された状態で、前記ネジと前記第１端子との間に外部から第２端子が挿入され、工具によって前記ネジの一端側が前記第１端子のネジ穴に螺合されることによって、前記第１端子と前記第２端子とを電気的に接続する
【０００７】
請求項２に記載の課題解決手段は、前記ネジが前記第１端子のネジ穴から外れると同時に、前記座金の他端側の位置が前記支点によって規制される。
【０００８】
請求項３に記載の課題解決手段は、前記支点の前記座金に対する反対側に別の装置が搭載される。
【０００９】
請求項４に記載の課題解決手段は、前記ネジはプラスネジである。
請求項５に記載の課題解決手段は、前記付勢手段は、前記筐体の前記第１端子よりも前記ネジ側の領域に配置されている。
請求項６に記載の課題解決手段は、前記雄のネジ、前記第１端子、前記座金、前記付勢手段及び前記支点で構成される第１の端子機構と対称的に設けられた第２の端子機構と、前記第１の端子機構と前記第２の端子機構との間に配置され、前記第１の端子機構の第１端子と、前記第２の端子機構の第１端子とを外部からの力に応じて電気的に接続又は開放するスイッチ機構と、をさらに備える。
【００１０】
【発明の実施の形態】
（発明の原理）
図１〜図３は、本発明の端子装置の原理を説明するための模式図である。図１〜図３の符号は互いに対応している。まず、本発明の端子装置の構成について説明する。本発明の端子装置は、雄のネジ１と第１端子２と座金３と付勢手段４と支点５とを含む。第１端子２には、ネジ１の一端１ａ側が螺合するネジ穴２ａが設けられている。座金３の一端３ａ側はネジ１を回転自在に保持する。付勢手段４は、例えばコイルバネで構成され、ネジ１を第１端子２のネジ穴２ａから引き離す付勢力を座金３に与える。支点５は、例えば端子装置の筐体Ｍの一部で構成され、ネジ１が第１端子２のネジ穴２ａから上述の付勢力によって引き離される途中で、座金３の他端３ｂ側の位置を規制する。
【００１１】
次に、動作について、まず、第２端子９０６を第１端子２に電気的に接続する場合について説明する。ネジ１は、第１端子２に設けられたネジ穴２ａから引き離された状態である。以下、このような状態を復帰状態と呼ぶ（図１）。
【００１２】
復帰状態で、ネジ１と第１端子２との間に外部から第２端子９０６が挿入され、ドライバー等の工具（図示せず）によってネジ１が順方向に回転され、ネジ１の一端１ａがネジ穴２ａに螺合し、第２端子９０６は座金３と第１端子２との間に挟まれる。これによって、第１端子２と第２端子９０６とを電気的に接続する（図３）。
【００１３】
次に、第２端子９０６を第１端子２から開放する場合について説明する。図３の状態で、工具によってネジ１が逆方向に回転され、ネジ１の一端１ａがネジ穴２ａから外される。付勢手段４は、ネジ１を第１端子２のネジ穴２ａから引き離す付勢力を座金３に与えている。これによって、ネジ１の一端１ａがネジ穴２ａから外れると、ネジ１は座金３とともに第１端子２のネジ穴２ａから付勢力によって、付勢力が働く方向Ｘに引き離されていく。そして、その途中で、座金３の他端３ｂは支点５に当接する（図２）。これによって、座金３の他端３ｂの位置が支点５によって規制されるので、付勢力によってネジ１は座金３とともに支点５を中心に回動し、その後、静止用部材（例えば筐体Ｍの壁面）に押し付けられて静止し、第２端子９０６を第１端子２から開放することができる。
【００１４】
従来では、ネジ９０１の先端と第１端子９０２との間の挿入口Ｗを充分に広くするために、ネジ９０１を第１端子９０２から充分に引き離した。これに対し、本発明ではネジ１を回動させる。これによって、ネジ１の一端１ａと第１端子２との間に充分な広さの挿入口Ｗを確保することができる。したがって、外部からの第２端子９０６をネジ１の一端１ａと第１端子２との間に容易に挿入できる。しかも、座金３の他端３ｂ側と第１端子２との間を短くでき、支点５近傍の空き領域Ｓを作ることができるので、端子装置の小型化が図れる。
【００１５】
なお、図１〜図３は模式図であり、本発明の端子装置は、図１〜図３に示した形状に限らない。例えば、付勢手段４はコイルバネを図示したが、板バネ、線バネでもよい。また、支点５や上述の静止用部材は筐体の一部で構成される他、筐体とは別の部材で構成されていてもよい。第２端子９０６は、いわゆる丸形圧着端子やＹ形圧着端子の付いた配線の他、それらが付いていない単なる配線でもよい。
【００１６】
以上の発明の原理を適用した実施の形態を以下に説明する。
【００１７】
（実施の形態１）
図４は本発明の実施の形態１のコンタクトブロック（端子装置）Ｅ１を示す斜視図であり、このコンタクトブロックＥ１を図４の正面方向Ｚから眺めた断面を図５に示す。図５の符号は図４の符号に対応している。
【００１８】
コンタクトブロックＥ１は、端子機構Ｍ１，Ｍ２、スイッチ機構Ｍ３、筐体Ｍ４を含み、中心線Ｃ−Ｃに対して対称的な構造である。
【００１９】
まず、端子機構Ｍ１を説明する。端子機構Ｍ２については端子機構Ｍ１と同じ構成なので、説明を省略する。
【００２０】
端子機構Ｍ１は、マイナスの雄のネジ１０１、固定端子１０２、座金１０３、コイルバネ１０４、支点１０５を含む。ネジ１０１、固定端子１０２、座金１０３、コイルバネ１０４、支点１０５はそれぞれ、図１のネジ１、第１端子２、座金３、付勢手段４、支点５に対応している。なお、コイルバネ１０４は図示する他、板バネ、線バネでもよい。
【００２１】
ネジ１０１、固定端子１０２は、筐体Ｍ４の内部空間（以下、セムス移動空間と称す）ＭＳ１に設けられている。セムス移動空間ＭＳ１内には細長くて薄い凸部Ｗ４（筐体Ｍ４の一部）が付勢力が働く方法Ｘに設けられている。ネジ１０１はセムス移動空間ＭＳ１を凸部Ｗ４に沿って方向Ｘに移動できる。セムス移動空間ＭＳ１の下側には、ネジ１０１の一端１０１ａが螺合するネジ穴１０２ａが設けられている。セムス移動空間ＭＳ１の上側には、工具であるマイナスのドライバ（図示せず）を差し込むための開口部ＭＷ１が設けられている。また、復帰状態のネジ１０１の一端１０１ａと固定端子１０２との間の近傍には、第２端子９０６を差し込むための開口部ＭＷ２が設けられている。
【００２２】
また、ネジ１０１のネジ部は略円柱形状である。ネジ部の底面（一端１０１ａ）は円形であり、ネジ部の側面に対して垂直である。
【００２３】
ネジ１０１及び座金１０３の上面図及び側面図をそれぞれ図６及び図７に示す。図６及び図７の符号は図５の符号に対応している。座金１０３の一端１０３ａ側は、貫通孔１０３ｈが設けられている。ネジ１０１は、遊びを有した状態で貫通孔１０３ｈを貫通している。これによって、座金１０３の一端１０３ａ側はネジ１０１を回転自在に保持する。しかも、ネジ１０１は座金１０３から抜け落ちないように構成されている。このようなネジ１０１及び座金１０３からなる構成はセムスと呼ばれる。
【００２４】
図５に戻って、コイルバネ１０４は、一端が座金１０３の他端１０３ｂ側に当接し、他端が筐体Ｍ４の内壁に当接している。これによって、コイルバネ１０４は、ネジ１０１を固定端子１０２のネジ穴１０２ａから引き離す付勢力を座金１０３に与える。支点１０５は、筐体Ｍ４の一部で構成され、ネジ１０１が固定端子１０２のネジ穴１０２ａから付勢力によって引き離される途中で、座金１０３の他端１０３ｂの位置を規制する。
【００２５】
次に、端子機構Ｍ１の動作については、発明の原理で述べたのと同様である。すなわち、まず、第２端子９０６を固定端子１０２に電気的に接続する場合について説明する。復帰状態では、ネジ１０１は、固定端子１０２から引き離されて保持されている。復帰状態で、第２端子９０６を外部から開口部ＭＷ２を通して、ネジ１０１と固定端子１０２との間に挿入する。一方、ドライバによって外部から開口部ＭＷ１を通してネジ１０１を順方向に回転させ、ネジ１０１の一端１０１ａをネジ穴１０２ａに螺合され、第２端子９０６は座金１０３と固定端子１０２との間に挟まれる。これによって、固定端子１０２と第２端子９０６とを電気的に接続する。
【００２６】
次に、第２端子９０６を固定端子１０２から開放する場合について説明する。ドライバによってネジ１０１を逆方向に回転させ、ネジ１０１の一端１０１ａをネジ穴１０２ａから外す。コイルバネ１０４は、ネジ１０１を固定端子１０２のネジ穴１０２ａから引き離す付勢力を座金１０３に与えている。これによって、ネジ１０１の一端１０１ａがネジ穴１０２ａから外れると、ネジ１０１が座金１０３とともにコイルバネ１０４の付勢力によって方向Ｘに引き離されていく。そして、その途中で、座金１０３の他端１０３ｂは支点１０５に当接する。これによって、座金１０３の他端１０３ｂの位置が支点１０５によって規制されるので、付勢力によってネジ１０１は座金１０３とともに支点１０５を中心に回動し、その後、筐体Ｍ４の内壁に押し付けられて静止する。
【００２７】
また、第２端子９０６がネジ１０１にくっ付いた状態であっても、ネジ１０１が回動して第２端子９０６が筐体Ｍ４の開口部ＭＷ２の内壁Ｗ２に当たることによって、第２端子９０６はネジ１０１から、より確実に外れる。
【００２８】
従来では、ネジ９０１の先端と第１端子９０２との間の挿入口Ｗを充分に広くするために、ネジ９０１を第１端子９０２から充分に引き離した。これに対し、実施の形態１ではネジ１０１を回動させる。これによって、ネジ１０１の一端１０１ａと固定端子１０２との間に充分な広さの挿入口Ｗを確保することができる。したがって、外部からの第２端子９０６をネジ１０１の一端１０１ａと固定端子１０２との間に容易に挿入できる。しかも、座金１０３の他端１０３ｂ側と固定端子１０２との間を短くでき、コンタクトブロックＥ１の小型化が図れる。
【００２９】
上記に述べたネジ１０１の回動に基づいて、次のようにして、図１２の従来の構造から図５のコンタクトブロックＥ１を得ることができた。
【００３０】
まず、コンタクトブロックＥ１では、ネジ１０１が固定端子１０２のネジ穴１０２ａから外れると同時に、座金１０３の他端１０３ｂの位置が支点１０５によって規制されるように構成した。具体的には、支点１０５から固定端子１０２までの方向Ｘの寸法Ｌ１と、座金１０３の他端１０３ｂからネジ１０１の一端１０１ａまでの寸法Ｌ２（図７）とをほぼ等しくすればよい。これによって、図２に示したような、回動直前のネジ１の一端１ａと第１端子２との間の距離Ｌ３を省略することができ、さらにコンタクトブロックＥ１の小型化が図れる。
【００３１】
以上の回動による小型化や距離Ｌ３の省略化によって、図１３のコイルバネ９０４の伸縮方向の寸法を第１端子９０２上方の領域Ｓ１（図１２）に収まるようにした。しかし、座金９０３が図１３のようにネジ９０１より下方に延在する形状なので、コイルバネ９０４を領域Ｓ１に配置することができない。そこで、図７に示したように、座金１０３の他端１０３ｂ側をネジ１０１の他端１０１ｂ側に位置するように折り曲げた。座金１０３の他端１０３ｂ側をネジ１０１の他端１０１ｂ側に折り曲げた分、コイルバネ１０４の位置がネジ１０１の一端１０１ａ側から他端１０１ｂ側に移動する。これによって、コイルバネ１０４を固定端子１０２上方の領域に配置することができる。
【００３２】
固定端子１０２上方の領域にコイルバネ１０４を配置したので、コンタクトブロックＥ１の厚さＬ４（図４）を短くなった。したがって、複数のコンタクトブロックを重ねて使用する場合、装置全体を限られた短い寸法Ｌ６に収めるのに、従来では図１４に示すように例えば２つしか収められなかったが、実施の形態１では図８に示すように３つのコンタクトブロックＥ１を収めることができる。なお、図８の符号は図５の符号に対応している。Ｍ５は、複数のコンタクトブロックＥ１を操作するためのスイッチである。例えば、スイッチＭ５は、複数のコンタクトブロックＥ１を一斉に後述のオン状態あるいはオフ状態にする押釦スイッチである。
【００３３】
また、コンタクトブロックＥ１の製造において、セムス（ネジ１０１及び座金１０３）、固定端子１０２及びコイルバネ１０４を正面方向Ｚ（図４）から組み込むことができる。その際、コイルバネ１０４は縮ませた状態でセムス移動空間ＭＳ１に組み込まれるが、コイルバネ１０４は、従来のコイルバネ９０４と比較して短いので、例えばＬ字型に折れ曲がる等の不具合が生じ難い。
【００３４】
また、図７に示したように、ネジ１０１のネジ部の周囲に座金１０３の他端１０３ｂ側が存在しないので、セムスを製造するとき、座金１０３をネジ１０１に通した状態で、転造によってネジ１０１にネジ山を形成することができる。これによって、セムスを容易に製造でき、コストを削減できる。
【００３５】
また、コイルバネ１０４を固定端子１０２上方の領域に配置したので、第２端子９０６は、開口部ＭＷ２への挿入の際、コイルバネ１０４へ進入する場合が生じる。これを防ぐために、コイルバネ１０４を覆う隔壁Ｗ１（筐体Ｍ４の一部）を設けた。隔壁Ｗ１は座金１０３の移動を妨害しない寸法である。隔壁Ｗ１を設けたことによって、第２端子９０６からコイルバネ１０４を保護できる。
【００３６】
また、ネジ１０１が回動すると、第２端子９０６は筐体Ｍ４の開口部ＭＷ２の内壁Ｗ２に当たり、ネジ１０１から確実に外れるが、ＩＥＣ（International  Electrotechnical  Commission：国際電気標準会議）の規格のＩＰ２０に鑑み、万全のため、復帰状態でネジ１０１の他端１０１ｂに人の指が触れないように、充分な厚さの枠体部Ｗ３（筐体Ｍ４の一部）で開口部ＭＷ１を囲んだ。これによって、復帰状態で他端１０１ｂに触れることを防ぎ、感電をより確実に防止できる。さらに、従来のコンタクトブロックＥ９の寸法Ｌ７（図１２）と本発明のコンタクトブロックＥ１の寸法Ｌ５（図５）とを等しくなるように構成する場合、実施の形態１では従来と比較して、ネジ１０１がコンタクトブロックＥ１内部側に配置されることになるので、その分、枠体部Ｗ３を厚くすることができる。
【００３７】
次に、スイッチ機構Ｍ３について説明する。
【００３８】
スイッチ機構Ｍ３は、端子機構Ｍ１，Ｍ２間に配置されている。スイッチ機構Ｍ３は、アクチュエータ１０７、バネ１０８及び可動端子１０９を含む。
【００３９】
アクチュエータ１０７、バネ１０８、端子機構Ｍ１，Ｍ２両方の固定端子１０２の端は、筐体Ｍ４の内部空間（以下、可動端子移動空間と称す）ＭＳ２に設けられている。筐体Ｍ４の中心線Ｃ−Ｃが通る部分には、アクチュエータ１０７が通れる開口部ＭＷ３，ＭＷ４が設けられている。アクチュエータ１０７は中心線Ｃ−Ｃ方向に移動できる。バネ１０８は、一端がアクチュエータ１０７に固定され、他端が筐体Ｍ４に固定され、開口部ＭＷ３から開口部ＭＷ４への方向に付勢力をアクチュエータ１０７に与える。アクチュエータ１０７は可動端子１０９を保持する。以上の構成によって、アクチュエータ１０７の下端を外部から押して開口部ＭＷ４内に納めると、端子機構Ｍ１，Ｍ２両方の固定端子１０２は可動端子１０９が接触して、可動端子１０９を介して互いに電気的に導通し、アクチュエータ１０７の上端は開口部ＭＷ３上部に達する（この状態をオン状態と称す）。アクチュエータ１０７の下端を外部から押すのを止めると、バネ１０８の付勢力によってアクチュエータ１０７の上端は開口部ＭＷ３内に収まり、端子機構Ｍ１，Ｍ２両方の固定端子１０２は互いに電気的に開放され、アクチュエータ１０７の下端は開口部ＭＷ４から突出する（この状態をオフ状態と称す）。
【００４０】
また、図９に示すように、複数のコンタクトブロックＥ１を中心線Ｃ−Ｃ上に重ねることができる。図９の符号は図５の符号に対応している。この場合、上段のコンタクトブロックＥ１のアクチュエータ１０７は下段のコンタクトブロックＥ１の開口部ＭＷ３の方へ挿入される。これによって、上段及び下段のコンタクトブロックＥ１は互いに連動し、下段のコンタクトブロックＥ１をオン状態にすると、上段のコンタクトブロックＥ１もオン状態になり、下段のコンタクトブロックＥ１をオフ状態にすると、上段のコンタクトブロックＥ１もオフ状態になる。
【００４１】
また、支点１０５の座金１０３に対する反対側に作ることができた空き領域Ｓに上段のコンタクトブロックＥ１が搭載されることになるので、下段のコンタクトブロックＥ１と上段のコンタクトブロックＥ１との中心線Ｃ−Ｃ方向の全体の寸法を短くでき、小型化が図れる。
【００４２】
なお、下段のコンタクトブロックＥ１上に搭載される別の装置は、コンタクトブロックＥ１と別の構成の装置でもよい。
【００４３】
（実施の形態２）
次に、本発明の実施の形態２について説明する。
【００４４】
マイナスのネジ１０１は支点１０５を中心に回動するので、図９に示したように、方向Ｘから差し込まれるマイナスのドライバ９０７に対して正面に向かず、上段のコンタクトブロックＥ１側へ傾く。したがって、マイナスのドライバ９０７でネジ１０１を回転し難い。そこで、図１０及び図１１のように、ネジ１０１を雄のプラスネジ１０１Ｐに置き換える。図１０及び図１１の符号は図６及び図７に対応している。コンタクトブロックＥ１のその他の構成は実施の形態１と同様である。プラスドライバー９０８（工具）は先が略円錐形に尖っているので、ネジ１０１と真っ正面からでなくても斜めから、プラスネジ１０１Ｐに突き刺して回転させることができる。これによって、図１１に示すように、方向Ｘからプラスドライバー９０８をプラスネジ１０１Ｐに容易に差し込め、回転させることができる。
【００４５】
（変形例）
なお、本発明に適用される端子装置は、外部から端子が接続されるものであればよく、コンタクトブロックＥ１、図８の押釦スイッチ装置Ｅ２の他、例えば電源装置等の電気機器でもよい。特に、コンタクトブロックＥ１のように、構成部品が密集している装置に効果がある。
【００４６】
【発明の効果】
請求項１に記載の発明によると、座金の他端の位置が支点によって規制されると、付勢力によってネジが座金とともに支点を中心に回動する。この回動によって、ネジの一端と第１端子との間に充分な広さの挿入口を確保することができる。これによって、外部からの第２端子をネジの一端と第１端子との間に容易に挿入できる。しかも、座金の他端と第１端子との間を短くでき、小型化が図れる。
【００４７】
請求項２に記載の発明によると、ネジが第１端子から引き離されると同時に回動することによって、回動直前のネジの一端と第１端子との間の距離を省略することができ、さらに小型化が図れる。
【００４８】
請求項３に記載の発明によると、端子装置と別の装置との全体の寸法を短くでき、小型化が図れる。
【００４９】
請求項４に記載の発明によると、ネジの他端が支点を中心に回動して別の装置側へ向いても、プラスドライバーをプラスネジに容易に差し込め、回転させることができる。
請求項５に記載の発明によると、端子装置をさらに小型化できる。
請求項６に記載の発明によると、スイッチ機構を備えた小型の端子装置が得られる。
【図面の簡単な説明】
【図１】  本発明の端子装置を示す模式図である。
【図２】  本発明の端子装置を示す模式図である。
【図３】  本発明の端子装置を示す模式図である。
【図４】  本発明の実施の形態１のコンタクトブロックを示す斜視図である。
【図５】  本発明の実施の形態１のコンタクトブロックを示す正面断面図である。
【図６】  本発明の実施の形態１のセムスを示す上面図である。
【図７】  本発明の実施の形態１のセムスを示す側面図である。
【図８】  本発明の実施の形態１のコンタクトブロックの応用例を示す側面図である。
【図９】  本発明の実施の形態１のコンタクトブロックの応用例を示す側面図である。
【図１０】  本発明の実施の形態２のセムスを示す上面図である。
【図１１】  本発明の実施の形態２のセムスを示す側面図である。
【図１２】  従来のコンタクトブロックを示す正面断面図である。
【図１３】  従来のコンタクトブロックを示す一部側断面図である。
【図１４】  従来のコンタクトブロックの応用例を示す側面図である。
【符号の説明】
１  ネジ、２  第１端子、２ａ  ネジ穴、３  座金、４  付勢手段、５  支点、９０６  第２端子。
【図１】
0004678970.tif 000002
【図２】
0004678970.tif 000003
【図３】
0004678970.tif 000004
【図４】
0004678970.tif 000005
【図５】
0004678970.tif 000006
【図６】
0004678970.tif 000007
【図７】
0004678970.tif 000008
【図８】
0004678970.tif 000009
【図９】
0004678970.tif 000010
【図１０】
0004678970.tif 000011
【図１１】
0004678970.tif 000012
【図１２】
0004678970.tif 000013
【図１３】
0004678970.tif 000014
【図１４】
0004678970.tif 000015